(57)【要約】【課題】厳しい水域環境においてルアーが分離してしまうという欠点を解消し、部品の組立を容易にしつつ、ルアーを構成する各部品が完全に互いに固定されるルアーを提供する。【解決手段】ルアー（１０）が、後面部（１６）を有する頭部（１２）と、前端部（２０）が後面部（１６）と接するように取り付けられた体部（１８）と、アイ（３４）および針先（３６）を有する釣り針（３０）とを含み、該ルアーが留め具のロッド（３２）をさらに具備し、該留め具のロッドは、頭部に固定された第一の端部（３８）と自由な第二の端部（４０）とを具備しており、該留め具のロッドは、第一の端部と第二の端部との間に、釣り針のアイを保持する保持部分（４２）と、体部に圧迫力をかけるように取り付けられた支持部分（４４）とを具備し、体部が、釣り針と留め具のロッドを収容するのに適した刳り貫き部分（２８）を含む。【選択図】図３
2013521817.tif 000002
【特許請求の範囲】
【請求項１】
釣りのルアーであって、
―後面部（１６）を有する堅固な頭部（１２）、
―前端部（２０）と後端部（２２）との間で長手方向に延在する柔軟な材料でできた体部（１８）であり、釣り餌の形を有するルアー（１０）を形成するように、前端部（２０）が後面部（１６）に接するように取り付けられている体部、
―アイ（３４）を具備する第一の端部と針先（３６）を具備する第二の端部との間で延在する釣り針（３０）、
を具備するものであって、
ルアーが、頭部（１２）に固定された第一の端部と自由な第二の端部とを具備する留め具のロッド（３２）をさらに具備することによって、留め具のロッド（３２）に釣り針（３０）のアイ（３４）を通すことができ、留め具のロッド（３２）はまた、留め具のロッドの第一の端部と第二の端部との間に、保持部分（４２）と支持部分（４４）とを具備し、該保持部分（４２）の周りに釣り針（３０）のアイ（３４）が保持され、該支持部分（４４）は長手方向軸を通る垂直面において実質的に延在しており、支持部分（４４）は、頭部（１２）の後面部（１６）に対して体部（１８）を固定するために、頭部（１２）の後面部（１６）と留め具のロッド（３２）との間に配置された体部（１８）の部分に圧迫力をかけるようにとりつけられていることを特徴とし、
かつ、体部（１８）が釣り針（３０）と留め具のロッド（３２）とを収容するのに適した刳り貫き部分（２８）を含むことを特徴としている。
【請求項２】
留め具の軸（３２）が、Ｓ字の形状である、請求項１に記載の釣りのルアー。
【請求項３】
後面部（１６）が、体部（１８）の第二のエッジ（２６）と接するのに適した第一のリム（２４）を含む、請求項１または２に記載の釣りのルアー。
【請求項４】
釣り針（３０）のアイ（３４）を収容するのに適した固定部分（４２）が、頭部（１２）に直接的にかつ一体となって固定されている、請求項１から３のいずれか一つに記載の釣りのルアー。
【請求項５】
留め具の軸（３２）の自由端部（４０）が、端部が曲げられていることによって、体部（１８）の中で自由端部（４０）の食い込みを避けるようにする、請求項１から４のいずれか一つに記載の釣りのルアー。
【請求項６】
頭部（１２）の後面部（１６）が、保持部分（４２）が固定される下部区域と、支持部分（４４）が正面に配置された中心区域と、上部区域とを有する、請求項１から５のいずれか一つに記載の釣りのルアー。
【請求項７】
釣り針（３０）の針先（３６）が、体部（１８）の外部に配置され、体部とすれすれになる、請求項１から６のいずれか一つに記載の釣りのルアー。
【請求項８】
後端部（２２）が、実質的に傾いた第一の直線（５１）を通る傾いた平面に沿って実質的に平たくなっており、該第一の直線は留め具のロッド（３２）の平面内に実質的に傾いて延在しており、また、該後端部は垂線（５０）ならびに第二の直線（５２）に対して傾いており、該第二の直線は、ルアーの長手方向軸に対して水平方向かつ横断方向に沿ったものである、請求項１から７のいずれか一つに記載の釣りのルアー。
【発明の詳細な説明】
【技術分野】
【０００１】
本発明は、釣りの際に魚の餌の役目をする釣りのルアーに関するものである。
【背景技術】
【０００２】
より詳細には、本発明が関する釣りのルアーは、後面部を有する堅固な頭部、前端部と後端部との間で長手方向に延在する柔軟な材料製の体部とを具備しており、釣り餌の形を有するルアーを形成するように該前端部が後面部に接するように取り付けられており、釣り針が、アイを具備する第一の端部と針先を具備する第二の端部との間で延在する。
【０００３】
前述のタイプの釣りのルアーは、米国特許第４７９１７４９号明細書が知られており、鉛製の頭部を有し、該頭部を通して堅固なケーブルが挿入されている。堅固なケーブルの端部は、釣り針のアイを受けるのに適した端部を曲げた形を有している。鉛製の頭部は、二つのＬ字型の突出部を具備し、それにより体部の中のしかるべき場所に頭部を固定することができる。これらの配置により、釣り針は取り外し可能となり、ルアーは、プラスチック製の体部の様々な部位から突き抜けるような、様々なサイズの釣り針を受けることができる。
【０００４】
米国特許出願公開第２００７／０１７５０８３号明細書で公知のルアーは、釣り針が取り付けられた鉛製の頭部を具備する。釣り針の軸は突出した部分を具備し、該部分はプラスチック製の体部内にかみ合い、それにより体部内に釣り針を保持するようにしている。
【０００５】
前述のルアーは、二つの部分から実現されており、体部と頭部を接続するための手段を有するにも関わらず、とりわけこのようなルアーの体部と頭部とを引き離してしまう程の充分に厳しい環境である水域環境においては、このルアーは容易に分離してしまうという欠点を有する。
【発明の概要】
【発明が解決しようとする課題】
【０００６】
本発明の目的は、このような欠点を解消すること、および、様々な各部品の組み立てが簡単であることを確実にしながらも、ルアーを構成するこれらの各部品が、水域環境においてさえも完全に互いに固定されるルアーを提案することである。
【課題を解決するための手段】
【０００７】
本発明が提案する釣りのルアーは、
―後面部を有する堅固な頭部、
―前端部と後端部との間で長手方向に延在する柔軟な材料でできた体部であり、釣り餌の形を有するルアーを形成するように、前端部が後面部に接するように取り付けられている体部、
―アイを具備する第一の端部と針先を具備する第二の端部との間で延在する釣り針、
を具備するものであって、
ルアーが、頭部に固定された第一の端部と自由な第二の端部とを具備する留め具のロッドをさらに具備することによって、留め具のロッドに釣り針のアイを通すことができ、留め具のロッドはまた、留め具のロッドの第一の端部と第二の端部との間に、保持部分と支持部分とを具備し、該保持部分の周りに釣り針のアイが保持され、該支持部分は長手方向軸を通る垂直面において実質的に延在しており、該支持部分は、頭部の後面部に対して体部を固定するために、頭部の後面部と留め具のロッドとの間に配置された体部の部分に圧迫力をかけるようにとりつけられていることを特徴とし、
かつ、体部が釣り針と留め具のロッドとを収容するのに適した刳り貫き部分を含むことを特徴としている。
【０００８】
これらの配置によって本発明による留め具のロッドは、頭部に対する体部のよりよい固定を確実にし、水流または海中でのルアーの優れた強度を保証する。このようにして、支持部分は、体部を締め付けて固定することを可能にする。実際、体部は、体部にある刳り貫き部分において、留め具のロッドの支持部分の圧迫によって、頭部に固定されている。加えて、使用者によるルアーの組み立ておよび取扱いが、釣り針および留め具のロッドを収容するために体部の中に備えられた刳り貫き部分を有することによって、容易になる。このような仕方で、体部は損傷を受けることなく何度も繰り返し使われることが可能である。同様に、ルアーは、釣り針のアイを支持部分に閉じ込めるために挟む道具を用いた取扱いまたは嵌め込みを必要とはせず、釣り針はまた工具の介入なしに組み立て可能および取り外し可能になる。
【０００９】
変形例によると、留め具のロッドはＳ字の形を有している。従って、Ｓ字の形は、上方に端部を曲げた形によって組み立ての容易さをもたらし、下方に曲げた形によって釣り針のアイの保持を確実にしている。加えて、下方に端部を曲げられた形は、釣り針が高方に滑ることを防ぐ。
【００１０】
別の変形例によると、後面部は、体部の第二のエッジと接するのに適した第一リムのを含む。このような仕方で、頭部のリムと体部のエッジの結合が、体部と頭部の接続を確実にしながら、頭部のガイド手段を形成している。
【００１１】
同様に、別の変形例によると、釣り針のアイを収容するのに適した保持部分は、頭部に直接的にかつ一体となって固定されている。従って、保持部分と体部は、ルアーの取扱いおよび組み立てを容易にすることが可能な単一部品を形成する。
【００１２】
別の変形例によると、留め具のロッドの自由端部は、体部の中での自由端部の食い込みを避けるために端部が曲げられている。このように端部を曲げられているので、自由端部は体部を損傷することはなく、それにより体部は再利用することができる。加えて、自由端部は、体部の刳り貫き部分と協働することによって、頭部に対する体部の回転ブロックを改良するようにしている。
【００１３】
別の変形例によると、頭部の後面部は、保持部分が固定された下部区域と、支持部分が正面に配置された中心部区域と、上部区域とを有している。
【００１４】
この配置は、釣り針の留め具用の下部区域と釣り糸の留め具用の上部区域との間に、ずれの特徴を明らかにすることを可能にしている。釣り糸の留め具に対してずらして釣り針の留め具を有することが、ルアーによって捉えられた魚の固定に有利に作用する。ルアーに魚が食いつくとき、上部区域は最も多くの引っ張り力をともなう区域となり、下部区域に接続された留め具のロッドの保持部分を有するということは、魚によってルアーにかけられる力の結果をより少なくすることを可能にする。
【００１５】
本発明によると、釣り針の針先が体部の外部に配置され、体部とすれすれになることを想定することが可能である。実際に、釣り針の針先のそのような位置は、藻類またはその他の水生要素のひっかかりを避けることを可能にする。加えて、ルアーの取扱いは、使用者にとって危険がない。
【００１６】
別の特徴によれば、後端部は、実質的に傾いた第一の直線を通る傾いた平面に沿って実質的に平たくなっており、該第一の直線は留め具のロッドの平面内に実質的に傾いて延在しており、また、該後端部は垂線ならびに第二の直線に対して傾いており、該第二の直線は、ルアーの長手方向軸に対して水平方向かつ横断方向に沿ったものである。実際、糸および体部のこの端部の引き上げ時に、操作者の動きによって、ルアーは、後端部がルアーに振動運動を与えるという理由で、本物の魚のように動く。
【００１７】
本発明は、添付された図面をもとに実現される、以下に続く詳細な記載を読むことでより良く理解されるだろう。
【図面の簡単な説明】
【００１８】
【図１】本発明によるルアーの側面図を図示している。
【図２】図１と類似の図であり、体部の内部に位置付けられた部品を明らかにしている。
【図３】本発明によるルアーの分解組立図である。
【図４ａ】Ａ−Ａの面による断面図である。
【図４ｂ】Ｂ−Ｂの面による断面図である。
【図４ｃ】Ｃ−Ｃの面による断面図である。
【図４ｄ】Ｄ−Ｄの面による断面図である。
【図５】本発明によるルアーの上から見た図を示す。
【発明を実施するための形態】
【００１９】
本発明による釣りのルアー１０は、釣りに用いられることを目的としている。ルアー１０は、釣竿または別の釣り装備の釣り糸の先端部にひっかけられる。
【００２０】
本発明によるルアー１０は、添付の図１から５において見ることができる。該ルアーは、小さいサイズの本物の魚に似ていることにより、釣り人が捕まえたいより大きなサイズの種類の魚に対する餌を形成する。
【００２１】
ルアー１０は、たとえば鉛のような金属製または硬質プラスチック製の頭部１２を具備し、該頭部は、頭部１２の上部に配置された輪１４を介して釣り糸に結び付けられている。頭部１２の重量は、水中にルアー１０が完全に沈むことを可能にする。頭部１２は、実質的に円錐形の形状を有し、該円錐形の形状上に、目、口、鼻孔といった器官が描かれており、それによって本物の小さな魚との近似を得るようにしている。図１から５に描かれているように、頭部１２は、円錐形の主軸が実質的に水平になり、円錐形の底面が、体部１８と接するように取り付けられた後面部１６を形成するように配置されている。
【００２２】
体部１８は、柔軟なプラスチック材料または別の柔軟な材料で実現される。該体部は、尾びれおよび腹部を有する魚の体部１８の形状を有する。好適には、プラスチック材料は、魚のうろこを思わせる模様で装飾されている。これらの模様は、たとえば魚のうろこの光沢に近いきらめく光沢を有するスパングルであることが可能である。
【００２３】
体部１８は、第一の前端部２０と後端部２２との間で長手方向に従って延在している。
【００２４】
後端部２２は、実質的に傾いた第一の直線５１を通る傾いた平面に沿って実質的に平たくなっており、該第一の直線は留め具のロッド３２の平面内に実質的に傾いて延在しており、また、該後端部は第二の直線５２に対して傾いており、該第二の直線は、ルアーの長手方向軸に対して水平方向かつ横断方向に沿ったものであって、さらに該後端部は垂線５０に対して１０〜３０°の間の角度αで傾いている。糸および体部のこのような端部を引き上げる際に、ルアーは魚の動きに似ている振動運動を有する。加えて、後端部２２とルアー１０の体部１８との間の補強は、その部位における分裂を避けることを可能とし、ルアーの振動運動を強化する。
【００２５】
ルアー１０が組み立て位置にあるときには、体部１８の前端部２０が頭部１２の後面部１６と接するように、体部１８と頭部１２とが結合され、頭部１２を拡張する体部１８が水平の長手方向に沿って延在するようにしており、該水平の長手方向は頭部１２の後面部１６に実質的に垂直な方向である。
【００２６】
好適には、頭部１２の後面部１６はリム２４を具備し、体部１８の前端部２０はエッジ２６を具備しており、リム２４およびエッジ２６は互いに補完し協働する形状を有することにより、頭部１２への体部１８の正しい位置決めのガイドを容易にする。
【００２７】
体部１８は、図３に点線で図示された刳り貫き部分２８を具備し、様々な部品のガイドおよび適切な位置決めを確実にしており、該様々な部品とは、本明細書の以下の記載においてより詳細に説明されることになる、釣り針３０または留め用手段である。これらの刳り貫き部分２８は、これらの部品の挿入の際に、後に強度を低下させ、体部１８が水域環境の応力に課せられたときにそこから裂けるおそれのある脆弱な区域を作り出す可能性があるあらゆる破断箇所を防ぐことを可能にする。
【００２８】
本発明によるルアー１０は、そのうえ、アイ３４を具備する第一の端部と、針先３６を具備する第二の端部との間で延在する釣り針３０を具備している。図２は、組み立て位置のルアー１０を図示しており、体部１８の内部に配置された釣り針３０を伴っている。このような位置で、釣り針３０の針先３６は、ルアー１０の体部１８とすれすれになっていて、すなわち、体部１８の高さで配置されていて、海藻のまたはその他の水生要素のひっかかりを避けるようにしている。
【００２９】
ルアー１０は、そのうえ、留め用手段３２を具備し、該手段は、頭部１２と、体部１８と、釣り針３０とを接続することと、ルアー１０を組み立て位置で保持することとを可能にしているロッドによって形成される。そのため、留め具のロッド３２は、頭部１２の後面部１６に一体となるように固定された第一の端部３８と、自由端部４０とを具備し、該自由端部からアイ３４と体部１８がロッドに通される。
【００３０】
留め具のロッド３２は、実質的にＳ字の形状を有し、保持部分４２と呼ばれる、該Ｓ字形状の下方に曲げられた部分は、頭部１２と一体となるように固定され、釣り針３０のアイ３４を収容する。このような仕方で、釣り針３０はその収容部から外れることを避け、さらには、頭部１２と体部１８との間の可動性を確実にする。
【００３１】
留め具のロッド３２の上部部分は、支持部分４４と呼ばれるものであり、頭部１２の後面部１６と前記支持部分４４との間に配置された体部１８の部分に圧迫力をかけるように取り付けられる。
【００３２】
そのため、支持部分４４は、頭部１２の後面部１６によって定義された平面と実質的に平行な平面に延在している。図２および３を見てわかるように、支持部分は、そのうえ、長手方向に対して直角に交わる垂直方向に沿って延在している。
【００３３】
頭部１２に対する体部１８の固定を改良するために、支持部分４４は、頭部１２の後面部１６の中央区域に実質的に平行に延在しており、保持部分４２は、後面部１６の下部区域において後面部１６と一体となっている。これらの配置のおかげで、固定力は、体部１８の前端部２０の中央区域にかけられ、このことが組み立て位置のルアー１０のよりよい安定性を確実なものにしている。
【００３４】
留め具の軸３２は、そのうえ、端部を曲げられた部分４６を該軸の自由端部４０に具備し、体部１８への挿入をより簡単にすることを可能にするが、体部１８の柔軟な材料の中に該端部を曲げられた部分を食い込ませはしない。そのようにして、端部を曲げられた部分４６が、あらゆる破損を避け、体部１８を損傷しないことにより、体部１８は再度利用されるか、または再び組み立てられることができる。さらに、自由端部４０は、体部の刳り貫き部分２８と協働することによって、頭部１２に対する体部１８の回転をブロックした支持を改良する。
【００３５】
加えて、端部を曲げられた形状４６は、下向きに曲げられており、ルアー１０が使用されているときに、とりわけ魚が糸を引っ張る際に、該ルアーが大きな応力に課せられたとき、釣り針３０が抜けるのを避けることを可能にする。
【００３６】
本発明によるルアー１０は、様々な部品で構成され、互いに容易に組み立てられることが可能である。したがって、ルアー１０は組み立てキットで販売されることが可能であるという有利な点を有し、使用者は、使用者が実行する釣りの種類に応じて、体部１８および頭部１２の審美的形状を選択する。
【００３７】
さらに、釣り針３０が体部１８に対して可動であるのは、該釣り針が体部に直接的に固定されていないからである。したがって、魚がルアー１０を捉えるとき、魚は、釣り針３０を高方へ持ち上げ、ひいては体部１８の針先３６を遠ざけるようにする動きをその口を使って行う。釣り針３０は、そのようにして利用できるものとなり、魚はそのように罠で捉えられる。
【００３８】
本発明は、例としてのみ挙げられた記載および図示された実施形態に制限されるものでは全くない。
【符号の説明】
【００３９】
１０  ルアー
１２  頭部
１４  輪
１６  後面部
１８  体部
２０  前端部
２２  後端部
２４  リム
２６  エッジ
２８  刳り貫き部分
３０  釣り針
３２  留め具のロッド
３４  アイ
３６  針先
３８  第一の端部
４０  第二の端部
４２  保持部分
４４  支持部分
４６  端部を曲げられた部分
５０  垂線
５１  第一の直線
５２  第二の直線
【先行技術文献】
【特許文献】
【００４０】
【特許文献１】米国特許第４７９１７４９号明細書
【特許文献２】米国特許出願公開第２００７／０１７５０８３号明細書
【図１】
2013521817.tif 000003
【図２】
2013521817.tif 000004
【図３】
2013521817.tif 000005
【図４ａ】
2013521817.tif 000006
【図４ｂ】
2013521817.tif 000007
【図４ｃ】
2013521817.tif 000008
【図４ｄ】
2013521817.tif 000009
【図５】
2013521817.tif 000010
【国際調査報告】
2013521817.tif 000011
2013521817.tif 000012
2013521817.tif 000013
2013521817.tif 000014
2013521817.tif 000015
2013521817.tif 000016